【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
複数のゲート線と、前記複数のゲート線に交差する複数の信号線と、前記複数のゲート線および前記複数の信号線との交差位置近傍に配置される複数の表示画素と、前記複数のゲート線を選択的に駆動するゲート線駆動回路と、外部からの映像信号を前記複数の信号線にそれぞれ出力する複数のスイッチング素子部と、各々対応ゲート線を介して駆動され対応信号線上の映像信号を対応表示画素に供給する複数の薄膜トランジスタと、前記複数のスイッチング素子部の出力側に設けられ前記複数の信号線を介して印加される不所望な逆バイアス高電圧を除去する第２の保護回路とを備えることを特徴とする表示装置。
【請求項２】
前記複数のスイッチング素子部の入力側に設けられ入力側信号線を介して印加される不所望な逆バイアス高電圧を除去する保護回路をさらに備えることを特徴とする請求項１に記載の表示装置。
【請求項３】
各スイッチング素子部は、少なくとも２本の隣接信号線にそれぞれ接続され選択的に導通する複数の薄膜トランジスタからなることを特徴とする請求項１または２に記載の表示装置。
【請求項４】
前記保護回路は基準電位端子と前記信号線との間において逆バイアス接続された少なくとも１個の薄膜トランジスタ、および前記基準電位端子よりも高い電位に設定される電源電位端子と前記信号線との間において逆バイアス接続された少なくとも１個の薄膜トランジスタからなる保護ダイオード部を含むことを特徴とする請求項１乃至３のいずれか１つに記載の表示装置。
【手続補正２】
【補正対象書類名】明細書
【補正対象項目名】０００６
【補正方法】変更
【補正の内容】
【０００６】
ところで、アクティブスイッチングドライバをアレイ基板上に配置した液晶表示装置では、線状の表示不良が配線の断線や短絡のような外観上の異常なしに発生している。我々が故障した液晶表示装置を調査したところ、上述のような表示不良が全体の約１％程度の割合で発生することが確認された。例えば輝線状の表示不良は一般に信号線の断線によって発生するが、信号線用スイッチング素子の動作停止に起因するものもある。高温下での動作信頼性試験を行ったところ、発生頻度としては少ないものの、初期段階で画素の表示不良（点欠陥）であったものが、試験開始から９０時間ほど経過した後に信号線用スイッチング素子が正常に動作しなくなって、輝線状表示不良になることが判明した。このような輝線状表示不良は画面品位を著しく損ねる結果となる。
【手続補正３】
【補正対象書類名】明細書
【補正対象項目名】０００８
【補正方法】変更
【補正の内容】
【０００８】
本発明によれば、複数のゲート線と、これらゲート線に交差する複数の信号線と、複数のゲート線および複数の信号線との交差位置近傍に配置される複数の表示画素と、複数のゲート線を選択的に駆動するゲート線駆動回路と、外部からの映像信号を複数の信号線にそれぞれ出力する複数のスイッチング素子部と、各々対応ゲート線を介して駆動され対応信号線上の映像信号を対応表示画素に供給する複数の薄膜トランジスタと、複数のスイッチング素子部の出力側に設けられ複数の信号線を介して印加される不所望な逆バイアス高電圧を除去する保護回路とを備える表示装置が提供される。
【手続補正４】
【補正対象書類名】明細書
【補正対象項目名】００１３
【補正方法】変更
【補正の内容】
【００１３】
図２に示すように、液晶表示装置はアレイ基板ＡＲと、このアレイ基板ＡＲに対して所定の間隔をおいて対向するように配置された対向基板ＣＴと、これらアレイ基板ＡＲと対向基板ＣＴとの間にそれぞれ配向膜を介して挟持される液晶層ＬＱとを備える。アレイ基板ＡＲと対向基板ＣＴとは、これらの外周端部に配置されるシール材によって貼り合わせている。
【手続補正５】
【補正対象書類名】明細書
【補正対象項目名】００２２
【補正方法】変更
【補正の内容】
【００２２】
垂直スタート信号ＳＴＶおよび垂直クロック信号ＣＫＶのような制御信号はプリント回路基板ＰＣＢからゲート線駆動回路１５に供給され、水平スタート信号ＳＴＨ，水平クロック信号ＣＫＨ，ブロック選択信号ＳＥＬ１，ブロック選択信号ＳＥＬ２、ロード信号ＬＯＡＤのような制御信号，デジタル映像信号ＤＡＴＡ，および階調基準電圧ＶＲＥＦはプリント回路基板ＰＣＢから信号線駆動回路１６に供給される。ゲート線駆動回路１５は垂直スタート信号ＳＴＶを垂直クロック信号ＣＫＶに同期してシフトすることによりｍ本のゲート線Ｙを水平走査期間のうちの有効映像期間のあいだに順次選択するゲート駆動電圧を選択ゲート線Ｙに供給する。信号線駆動回路１６は水平スタート信号ＳＴＨを水平クロック信号ＣＫＨに同期してシフトすることにより各信号線ブロックの信号線Ｘを順次選択し、これら信号線Ｘに対して供給される映像信号ＤＡＴＡに基づいて対応信号線ブロックの信号線Ｘを駆動する。
【手続補正６】
【補正対象書類名】明細書
【補正対象項目名】００２３
【補正方法】変更
【補正の内容】
【００２３】
信号線駆動回路１６の各ドライバＩＣ１８は、図３に示すようにシフトレジスタ３０，データレジスタ３１，Ｄ／Ａコンバータ３２，および出力バッファ回路３３を含む。シフトレジスタ３０は水平スタート信号ＳＴＨを水平クロック信号ＣＫＨに同期してシフトする。データレジスタ３１は、ロード信号ＬＯＡＤの立ち下がり後にシフトレジスタ３０の制御によりデジタル映像信号ＤＡＴＡを順次取り込み保持する。Ｄ／Ａコンバータ３２は階調基準電圧ＶＲＥＦを分圧することにより所定数の階調電圧を発生し、これら階調電圧をデータレジスタ３１に保持された映像信号ＤＡＴＡに対応して選択的に出力することによりＤ／Ａ変換を行う。出力バッファ回路３３はロード信号ＬＯＡＤの立ち上がりに伴って高インピーダンス状態に設定され、ロード信号ＬＯＡＤの立ち下がりに伴ってＤ／Ａコンバータ３２からのアナログ映像信号をアレイ基板ＡＲ上の選択回路１７に水平走査期間のうちの有効映像期間のあいだ出力し、ブランキング期間のあいだは再び出力バッファスイッチにより選択回路１７と電気的に切り離されハイインピーダンスに設定される。
選択回路１７は、テープキャリアパッケージＴＣＰ１〜ＴＣＰ６側に並ぶ６個のドライバＩＣ１８の出力端子ＯＵＴ１，ＯＵＴ２…からの映像信号をそれぞれ２本の隣接信号線Ｘ１およびＸ２，Ｘ３およびＸ４，Ｘ５およびＸ６…に水平走査期間のうちの有効映像期間の前後半でそれぞれ分配するｎ／２個のスイッチ部Ｓ１，Ｓ２，Ｓ３，…を備える。これらスイッチ部Ｓ１，Ｓ２，Ｓ３，…の各々は、ブロック選択信号ＳＥＬ１，ＳＥＬ２の制御により出力端子ＯＵＴ１，ＯＵＴ２…の対応する１個を対応隣接信号線Ｘ１およびＸ２，Ｘ３およびＸ４，Ｘ５およびＸ６…の一方に接続するスイッチング素子ＡＳＷ１および対応隣接信号線Ｘ１およびＸ２，Ｘ３およびＸ４，Ｘ５およびＸ６…の他方に接続するスイッチング素子ＡＳＷ２を含む。
【手続補正７】
【補正対象書類名】明細書
【補正対象項目名】００２５
【補正方法】変更
【補正の内容】
【００２５】
例えばブロック選択信号ＳＥＬ１が低レベルに設定され、スイッチ部Ｓ１，Ｓ２，Ｓ３，…の第１スイッチング素子ＡＳＷ１を導通させると、出力端子ＯＵＴ１，ＯＵＴ２…から出力される映像信号が、水平走査期間のうちの有効映像期間の前半でそれぞれ第１信号線ブロックの信号線Ｘ１，Ｘ３，Ｘ５，Ｘ７…に供給される。また、ブロック選択信号ＳＥＬ２がブロック選択信号ＳＥＬ１に代わって低レベルに設定され、スイッチ部Ｓ１，Ｓ２，Ｓ３，…の第１スイッチング素子ＡＳＷ２を導通させると、出力端子ＯＵＴ１，ＯＵＴ２…から出力される映像信号が、水平走査期間のうちの有効映像期間の後半でそれぞれ第２信号線ブロックの信号線Ｘ２，Ｘ４，Ｘ６，Ｘ８…に供給される。
【手続補正８】
【補正対象書類名】明細書
【補正対象項目名】００２６
【補正方法】変更
【補正の内容】
【００２６】
アレイ基板ＡＲはさらに各ドライバＩＣ１８の全出力端子ＯＵＴ１，ＯＵＴ２，ＯＵＴ３，…からの映像信号を受け取る全スイッチ部Ｓ１，Ｓ２，Ｓ３，…の入力端に接続される第１保護回路３５、および全信号線Ｘ１，Ｘ２，Ｘ３，Ｘ４，…に接続される第２保護回路３６を備える。
【手続補正９】
【補正対象書類名】明細書
【補正対象項目名】００２９
【補正方法】変更
【補正の内容】
【００２９】
本実施形態に係る液晶表示装置では、信号線駆動回路１６がｎ本の信号線Ｘをｎ／２本ずつ含むように区分して得られる第１および第２信号線ブロックを映像信号ＤＡＴＡの有効映像期間の前半および後半において順次選択する選択回路１７およびこの選択回路１７によって選択された信号線ブロックに含まれるｎ／２本の信号線Ｘを駆動する駆動部として６個の信号線ドライバＩＣ１８を含む。従って、表示画面の高精細化において接続配線数を低減でき、これらの接続配線間に十分なピッチを確保することができる。また、この接続配線数の低減は表示画面の大型化に伴ってアレイ基板ＡＲ上で引き回される配線長に依存した映像信号の劣化も緩和できる。
【手続補正１０】
【補正対象書類名】明細書
【補正対象項目名】００３２
【補正方法】変更
【補正の内容】
【００３２】
ちなみに、製品によっては、蓄積容量線が画素電極１１の電位変動を低減するために各行の表示画素ＰＸに沿って形成されることがある。この場合、蓄積容量線と信号線とが表示画素ＰＸに付着した異物や配線欠陥によって短絡し、この結果として蓄積容量線からの高電圧が信号線Ｘを介して選択回路１７に印加されて選択回路１７のスイッチング素子ＡＳＷ１およびＡＳＷ２を逆バイアスする可能性がある。しかし、上述の保護回路３６が設けられていれば、この高電圧による電流が保護ダイオード部３６Ｄを介して電源電位端子ＶＤＤ側に流れる。従って、ゲート線Ｙと信号線Ｘとが短絡した場合と同様に選択回路１７のスイッチング素子ＡＳＷ１およびＡＳＷ２が逆バイアスされた状態に維持されることが無くなり、スイッチング素子ＡＳＷ１またはＡＳＷ２の特性劣化による動作不良を防止できる。
【手続補正１１】
【補正対象書類名】図面
【補正対象項目名】図３
【補正方法】変更
【補正の内容】
【図３】
2005062725.tif 000001